(57)【要約】【課題】連続通信などで異常停止（フリーズ）した場合であっても、通信機能を自己復帰し、現場メンテナンスの出動率を低減する。【解決手段】インターネット（通信）網と接続するインターネット網接続Ｉ／Ｆ３０ａと、データ端末と接続するデータ端末接続Ｉ／Ｆ３０ｂと、通信制御部３２と、インターネット網接続Ｉ／Ｆ３０ａから変換された信号を一時保持するバッファ機能を有するインターネット網側通信制御ＩＣ３１ａと、データ端末接続Ｉ／Ｆ３０ｂから変換された信号を一時保持するバッファ機能を有するデータ端末側通信制御ＩＣ３１ｂを備え、通信制御部３２は、インターネット網側通信制御ＩＣ３１ａ及びデータ端末側通信制御ＩＣ３１ｂの各動作状態を確認し異常を検出した場合はそのインターネット網側通信制御ＩＣ３１ａ又はデータ端末側通信制御ＩＣ３１ｂの初期化を行う通信端末である。【選択図】図１
2005197779.tif 000002
【特許請求の範囲】
【請求項１】
通信網を介して複数のデータ端末を管理する管理センターと接続される需要家側システムに、少なくとも１つの前記データ端末とともに組み設けられ、前記データ端末からの情報に対しプロトコル変換を行って前記管理センターに転送するとともに、前記管理センターからの情報に対しプロトコル変換を行って前記データ端末に転送する通信端末であって、
前記通信網と接続する通信網接続Ｉ／Ｆと、
前記データ端末と接続するデータ端末接続Ｉ／Ｆと、
通信制御部と、
前記通信網接続Ｉ／Ｆからの信号を前記通信制御部が処理可能な信号に変換するとともに、前記通信網接続Ｉ／Ｆからの信号を基に変換された信号を一時保持するバッファ機能を有する通信網側通信制御ＩＣとを備え、
前記通信制御部は、
前記通信網側通信制御ＩＣの動作状態を確認し異常を検出した場合はその通信網側通信制御ＩＣの初期化を行うことを特徴とする通信端末。
【請求項２】
前記データ端末接続Ｉ／Ｆからの信号を前記通信制御部が処理可能な信号に変換するとともに、前記データ端末接続Ｉ／Ｆからの信号を基に変換された信号を一時保持するバッファ機能を有するデータ端末側通信制御ＩＣを備え、
前記通信制御部は、
前記データ端末側通信制御ＩＣの動作状態を確認し異常を検出した場合はそのデータ端末側通信制御ＩＣの初期化を行うことを特徴とする請求項１記載の通信端末。
【請求項３】
前記通信制御部は、定期的に、前記通信網側通信制御ＩＣ及び前記データ端末側通信制御ＩＣの各動作状態を確認することを特徴とする請求項１又は２記載の通信端末。
【請求項４】
前記動作状態の確認のタイミングを前記管理センターからの通信により変更することを特徴とする請求項３記載の通信端末。
【請求項５】
前記データ端末は、ガス、電力、水道水及びカロリーのうち少なくとも１つを測定するエネルギー量測定メーターであることを特徴とする請求項１〜４のいずれか記載の通信端末。
【請求項６】
前記データ端末は、ガス漏れ警報器、火災報知器又は侵入探知センサーであることを特徴とする請求項１〜４のいずれか記載の通信端末。
【請求項７】
前記通信網はインターネット網であることを特徴とする請求項１〜６のいずれか記載の通信端末。
【請求項８】
請求項１〜７のいずれか記載の通信端末及び前記データ端末からなる端末群を少なくとも１つ備えるとともに、
前記データ端末の管理を行う管理センターを備えることを特徴とする通信システム。
【発明の詳細な説明】
【技術分野】
【０００１】
本発明は、データ端末と管理センターとの間を、通信網を介して双方向通信を行うために用いられる通信端末及びこれを含む通信システムに関するものである。
【背景技術】
【０００２】
従来、この種の通信端末及びこれを含む通信システムは、種々提案されまた市販されている。例えば、図５に示す通信システムは、センター装置１０及びルーター１１を備える管理センター１と、インターネット網４を介して管理センター１と接続する需要家側システム２とにより構成される。需要家側システム２は、データ端末２０、ＤＨＣＰサーバー２１、ルーター２２及び通信端末５を備える。
【０００３】
上記通信システムは、通信端末５により、データ端末２０からの情報をプロトコル（通信手順）変換してインターネット網４に転送するとともに、インターネット網４からの情報をプロトコル変換してデータ端末２０に転送することで、管理センター１のセンター装置１０とデータ端末２０との間で双方向通信を行う。
【０００４】
なお、特許文献１には、インターネット経由で各メーターの検針データ等を管理センターに転送でき、また、管理センターから各メーターに対する要求命令もインターネット経由で送信される自動検針システムが開示されている。
【特許文献１】特開２００１−３１２７８４号公報（第４頁−第７頁、及び、第１図）
【発明の開示】
【発明が解決しようとする課題】
【０００５】
しかしながら、上記従来の通信システムなどは、データ端末と、データ端末側より通信速度が高速であるインターネット網との間を、通信端末を中継して情報のやり取りを行い、その通信端末は、異なるプロトコルの情報に対して、プロトコル変換及び通信速度調整の両方を行うので、下記のような問題が生じる。
【０００６】
従来の通信端末は、インターネット網側から連続通信を受けた際に、通信速度等を吸収するために、受信した通信パケット（信号）をバッファし続け、これにより、データ端末及びインターネット網側の機器と比べて負荷が相対的に増加するので、異常停止（フリーズ）し、管理センターとデータ端末との間で通信を行うことができなくなる。この場合、通信端末の設置場所に行って現場メンテナンスにより初期化し、通信機能を復帰させなければならない。
【０００７】
本発明は上述の点に鑑みて為されたものであり、その目的とするところは、連続通信などで異常停止した場合であっても、通信機能を自己復帰し、現場メンテナンスの出動率を低減する通信端末及びこれを含む通信システムを提供することにある。
【課題を解決するための手段】
【０００８】
請求項１に記載の発明は、通信網を介して複数のデータ端末を管理する管理センターと接続される需要家側システムに、少なくとも１つの前記データ端末とともに組み設けられ、前記データ端末からの情報に対しプロトコル変換を行って前記管理センターに転送するとともに、前記管理センターからの情報に対しプロトコル変換を行って前記データ端末に転送する通信端末であって、前記通信網と接続する通信網接続Ｉ／Ｆと、前記データ端末と接続するデータ端末接続Ｉ／Ｆと、通信制御部と、前記通信網接続Ｉ／Ｆからの信号を前記通信制御部が処理可能な信号に変換するとともに、前記通信網接続Ｉ／Ｆからの信号を基に変換された信号を一時保持するバッファ機能を有する通信網側通信制御ＩＣとを備え、前記通信制御部は、前記通信網側通信制御ＩＣの動作状態を確認し異常を検出した場合はその通信網側通信制御ＩＣの初期化を行うことを特徴とする。
【０００９】
この構成では、連続通信などにより通信端末の負荷が増加した場合であっても、通信網側通信制御ＩＣは信号を一時保持することができるので、通信制御部において急激な負荷の増加を防止することができる。また、通信網側通信制御ＩＣの異常停止（フリーズ）により通信端末の機能が停止し通信の中継が実施できなくなった場合であっても、通信制御部によって初期化されるので、通信機能を自己復帰することができ、現場メンテナンスの出動率を低減することができる。
【００１０】
請求項２に記載の発明は、請求項１に記載の発明において、前記データ端末接続Ｉ／Ｆからの信号を前記通信制御部が処理可能な信号に変換するとともに、前記データ端末接続Ｉ／Ｆからの信号を基に変換された信号を一時保持するバッファ機能を有するデータ端末側通信制御ＩＣを備え、前記通信制御部は、前記データ端末側通信制御ＩＣの動作状態を確認し異常を検出した場合はそのデータ端末側通信制御ＩＣの初期化を行うことを特徴とする。この構成では、データ端末側にもデータ端末側通信制御ＩＣを設けるので、通信制御部の負荷をさらに低減し、データ端末側通信制御ＩＣの異常停止により通信端末の機能が停止し通信の中継が実施できなくなった場合であっても、通信制御部によって初期化されるので、通信機能を自己復帰することができ、現場メンテナンスの出動率を低減することができる。
【００１１】
請求項３に記載の発明は、請求項１又は２に記載の発明において、前記通信制御部は、定期的に、前記通信網側通信制御ＩＣ及び前記データ端末側通信制御ＩＣの各動作状態を確認することを特徴とする。この構成では、通信網側通信制御ＩＣ及びデータ端末側通信制御ＩＣの各動作状態を定期的に確認するので、すぐに通信端末の通信機能を自己復帰することができる。
【００１２】
請求項４に記載の発明は、請求項３に記載の発明において、前記動作状態の確認のタイミングを前記管理センターからの通信により変更することを特徴とする。この構成では、通信網側通信制御ＩＣ及びデータ端末側通信制御ＩＣの各動作状態を確認するタイミングを管理センターから変更することができるので、変更時に通信端末の設置場所まで行くことなく各通信制御ＩＣの動作確認を適切に調整することができる。
【００１３】
請求項５に記載の発明は、請求項１〜４のいずれかに記載の発明において、前記データ端末は、ガス、電力、水道水及びカロリーのうち少なくとも１つを測定するエネルギー量測定メーターであることを特徴とする。この構成では、データ端末が、ガス、電力、水道水、カロリーを測定し出力するので、管理センターはこれらのデータを容易に管理することができる。
【００１４】
請求項６に記載の発明は、請求項１〜４のいずれかに記載の発明において、前記データ端末は、ガス漏れ警報器、火災報知器又は侵入探知センサーであることを特徴とする。この構成では、ガス漏れ、火災、侵入が発生した場合に、データ端末がそれらの情報を管理センターに出力するので、管理センターでは素早い対応をすることができる。
【００１５】
請求項７に記載の発明は、請求項１〜６のいずれかに記載の発明において、前記通信網はインターネット網であることを特徴とする。この構成では、通信網として既存のインターネット網を用いるので、新規に通信網を設ける必要がない。
【００１６】
請求項８に記載の発明は、請求項１〜７のいずれかに記載の通信端末及び前記データ端末からなる端末群を少なくとも１つ備えるとともに、前記データ端末の管理を行う管理センターを備えることを特徴とする。この構成では、連続通信などにより通信端末の負荷が増加し通信端末の通信機能が停止した場合であっても、通信端末の通信機能を自己復帰することができ、現場メンテナンスの出動率を低減することができる。
【発明の効果】
【００１７】
本発明によれば、連続通信などで異常停止（フリーズ）した場合であっても、通信機能を自己復帰することができ、現場メンテナンスの出動率を低減することができる。
【発明を実施するための最良の形態】
【００１８】
（実施形態１）
先ず、実施形態１の基本的な構成について図１及び２を用いて説明する。通信システムは、図２に示すように、管理センター１と、通信端末３及びデータ端末２０からなる端末群２３を複数備える需要家側システム２とを備え、それらの端末群２３が、通信網であるインターネット網４を介して管理センター１と接続するものである。
【００１９】
管理センター１は、インターネット網４を介して複数のデータ端末２０と双方向通信を行い、各データ端末２０で得られた情報を収集することで、各データ端末２０の管理や遠隔自動検針などを行うものであり、例えば、センター装置１０及びルーター１１を備える。
【００２０】
センター装置１０は、例えば、各種プログラムを実行するコンピュータ（図示せず）などにより構成され、本通信システム全般の制御などの処理を行うものである。また、センター装置１０は、後述する通信制御部３２が、インターネット網側通信制御ＩＣ３１ａ及びデータ端末側通信制御ＩＣ３１ｂの各動作状態を確認するタイミングを送信する。
【００２１】
ルーター１１は、例えばＴＣＰ／ＩＰなどのプロトコルに従って、管理センター１のセンター装置１０と需要家側システム２内の各通信端末３との間で送受信される情報（パケット）を中継するものである。なお、ＮＡＴやＩＰマスカレードなどの技術を用いてローカルＩＰアドレスとグローバルＩＰアドレスとを相互変換する機能と、ダイナミック・パケットフィルタリングやトンネリングなどの技術を用いて不正アクセスを拒否するファイア・ウォール機能とがさらに具備される構成でもよい。
【００２２】
需要家側システム２は、例えば、インターネットマンションなど需要家宅に用いられるシステムであり、通信端末３及びデータ端末２０からなる端末群２３を複数備えるとともに、ＤＨＣＰサーバー２１及びルーター２２を備える。
【００２３】
データ端末２０は、例えば、エネルギー量測定メーターや警報装置などがある。エネルギー量測定メーターは、例えば、ガス、電力、水道水及びカロリーのうち少なくとも一つを測定し、その測定量を管理センター１に送信するべき情報（検針情報や警報情報など）として得るものであり、同じ組み内の通信端末３とともに管理センター１の管理下に組み込まれて設けられる。エネルギー量測定メーターには、所定のプロトコル（例えば調歩同期半二重通信などのシリアル通信用のプロトコル）に従って双方向の通信をする通信インタフェース（以下「通信Ｉ／Ｆ」という。）（図示せず）と、この通信Ｉ／Ｆを介して、上記測定量を管理センター１に送信するための制御などの各種処理を行うマイコン（図示せず）とを備えたマイコンメーターが使用される。また、警報装置は、ガス漏れ警報器、火災報知器及び侵入探知センサーのうち少なくとも一つであり、ガス漏れ、火災、侵入が発生した場合に、それらの発生を情報（警報情報など）として管理センター１に送信するので、管理センター１では素早い対応をすることができる。
【００２４】
ＤＨＣＰサーバー２１では、各通信端末３に、インターネット網４で通信を行う際に必要となる通信端末３のＩＰアドレスを割り当てる。
【００２５】
ルーター２２は、例えばＴＣＰ／ＩＰなどのプロトコルに従って、管理センター１のセンター装置１０と需要家側システム２内の各通信端末３との間で送受信される情報（パケット）を中継するものである。なお、ＮＡＴやＩＰマスカレードなどの技術を用いてローカルＩＰアドレスとグローバルＩＰアドレスとを相互変換する機能と、ダイナミック・パケットフィルタリングやトンネリングなどの技術を用いて不正アクセスを拒否するファイア・ウォール機能とがさらに具備される構成でもよい。
【００２６】
通信端末３は、需要家側システム２に、データ端末２０とともに複数組み設けられ、データ端末２０と管理センター１との双方向通信を中継する。各通信端末３は、それぞれ組み設けられているデータ端末２０からの情報をインターネット網４のプロトコルに準拠した信号へプロトコル変換を行って管理センター１に転送し、管理センター１からの情報をデータ端末２０のプロトコルに準拠した信号へプロトコル変換を行ってデータ端末２０に転送する。
【００２７】
通信端末３の内部は、図１に示すように、インターネット網接続Ｉ／Ｆ（通信網接続Ｉ／Ｆ）３０ａと、データ端末接続Ｉ／Ｆ３０ｂと、インターネット網側通信制御ＩＣ（通信網側通信制御ＩＣ）３１ａと、データ端末側通信制御ＩＣ３１ｂと、通信制御部３２と、タイマー３３と、メモリー３４とで構成される。
【００２８】
インターネット網接続Ｉ／Ｆ３０ａは、インターネット網４側のルーター２２に接続され（図２参照）、例えばＩＥＥＥ８０２．３などのプロトコルに従って双方向通信をする通信Ｉ／Ｆである。
【００２９】
データ端末接続Ｉ／Ｆ３０ｂは、データ端末２０の通信Ｉ／Ｆと接続され、その通信Ｉ／Ｆと同じプロトコルに従って双方向通信をする通信Ｉ／Ｆである。
【００３０】
インターネット網側通信制御ＩＣ３１ａは、インターネット網接続Ｉ／Ｆ３０ａと通信制御部３２との間に設けられ、インターネット網接続Ｉ／Ｆ３０ａを制御し、インターネット網接続Ｉ／Ｆ３０ａと信号のやり取りを行う。また、インターネット網側通信制御ＩＣ３１ａは、インターネット網接続Ｉ／Ｆ３０ａからの信号を基に変換された信号を一時保持するバッファ機能を有する。インターネット網側通信制御ＩＣ３１ａでは、通信制御部３２からの信号をインターネット網４（図２参照）のプロトコルに準拠した信号に変換し、インターネット網接続Ｉ／Ｆ３０ａからの信号からデータ端末２０に対する情報を取り出してその情報を含む信号を通信制御部３２に送信する。
【００３１】
データ端末側通信制御ＩＣ３１ｂは、データ端末接続Ｉ／Ｆ３０ｂと通信制御部３２との間に設けられ、データ端末接続Ｉ／Ｆ３０ｂを制御し、データ端末接続Ｉ／Ｆ３０ｂと信号のやり取りを行う。また、データ端末側通信制御ＩＣ３１ｂは、データ端末接続Ｉ／Ｆ３０ｂからの信号を基に変換された信号を一時保持するバッファ機能を有する。データ端末側通信制御ＩＣ３１ｂは、通信制御部３２からの信号をデータ端末２０（図２参照）との通信プロトコルに準拠した信号に変換し、データ端末接続Ｉ／Ｆ３０ｂからの信号から検針情報や警報情報などの情報を取り出し、その情報を含む信号を通信制御部３２に送信する。
【００３２】
メモリー３４は、例えば読み書き可能な不揮発性メモリーにより構成され、通信制御部３２と接続し、当該通信端末３のＩＤ、当該通信端末３のＩＰアドレス、及び、管理センター１との通信に使用する管理センター１のＩＰアドレスを記憶する。なお、当該通信端末３のＩＤは、当該通信端末３と組み設けられているデータ端末２０のＩＤと置き換えてもよい。
【００３３】
通信制御部３２は、例えばプログラムを実行するＣＰＵを含むマイコンなどにより構成され、以下のように通信端末３全体の機能を統括制御する。通信制御部３２は、インターネット網側通信制御ＩＣ３１ａに含まれる情報をデータ端末側通信制御ＩＣ３１ｂ用の信号に変換してデータ端末側通信制御ＩＣ３１ｂに転送する。また、データ端末側通信制御ＩＣ３１ｂからの信号より情報を取り出して、これに当該通信端末３のＩＰアドレス、管理センター１のＩＰアドレス、当該通信端末３のＩＤを含めた信号をインターネット網側通信制御ＩＣ３１ａに転送する。
【００３４】
また、通信制御部３２は、タイマー３３と接続しこのタイマー３３の計時により定期的（例えば数秒〜数分間隔）に、インターネット網側通信制御ＩＣ３１ａ及びデータ端末側通信制御ＩＣ３１ｂ（以下「通信制御ＩＣ３１ａ，３１ｂ」という。）と通信することでそれらの各動作状態を確認し、通信不能の異常を検出した場合は、その異常を検出した通信制御ＩＣ３１ａ，３１ｂに対してリセット信号を出力し初期化を行う。また、通信制御ＩＣ３１ａ，３１ｂの各動作状態を確認するタイミングは、管理センター１（図２参照）からの通信に含まれる情報を基に変更する。
【００３５】
次に、実施形態１の動作について説明する。図３は、通信端末３が通信制御ＩＣ３１ａ，３１ｂに対して各動作状態の確認及び初期化を行う順序を示すフロー図である。先ず、タイマー３３の計時により通信制御ＩＣ３１ａ，３１ｂの各動作状態を確認するタイミングか否かを判断する（Ｓ１）。動作状態を確認するタイミングである場合（Ｓ１でＹｅｓ）、通信制御部３２はインターネット網側通信制御ＩＣ３１ａの動作状態を確認する（Ｓ２）。確認の結果、動作状態に異常を検出した場合は（Ｓ２でＹｅｓ）、通信制御部３２はリセット信号を出力してインターネット網側通信制御ＩＣ３１ａの初期化を行う（Ｓ３）。動作状態に異常が見られなかった場合、又は、インターネット網側通信制御ＩＣ３１ａの初期化に成功した場合は、次に、データ端末側通信制御ＩＣ３１ｂの動作状態を確認する（Ｓ４）。確認の結果、動作状態に異常を検出した場合は（Ｓ４でＹｅｓ）、通信制御部３２はリセット信号を出力してデータ端末側通信制御ＩＣ３１ｂの初期化を行う（Ｓ５）。動作状態に異常が見られなかった場合、又は、データ端末側通信制御ＩＣ３１ｂの初期化に成功した場合は、通信制御部３２は、通信制御ＩＣ３１ａ，３１ｂの各動作状態の確認を終了する。上記の動作を定期的に繰り返す。
【００３６】
以上、実施形態１によれば、連続通信などにより通信端末３の負荷が増加した場合であっても、各通信制御ＩＣ３１ａ，３１ｂはそれぞれインターネット網接続Ｉ／Ｆ３０ａ又はデータ端末接続Ｉ／Ｆ３０ｂからの信号を一時保持することができるので、通信制御部３２の負荷の急激な増加を防止することができる。
【００３７】
また、通信制御ＩＣ３１ａ，３１ｂの少なくとも一方が異常停止により通信端末３の機能が停止し通信の中継が実施できなくなった場合であっても、通信制御部３２による定期的な確認により異常停止した通信制御ＩＣ３１ａ，３１ｂは初期化されるので、通信機能をすぐに自己復帰することができ、現場メンテナンスの出動率を低減することができる。その確認するタイミングを管理センター１から変更することができるので、変更時に通信端末３の設置場所まで行く必要がない。
【００３８】
さらに、データ端末２０が、ガス、電力、水道水、カロリー等を測定し出力するので、管理センター１はこれらのデータを容易に管理することができる。また、通信網として既存のインターネット網４を用いるので、新規に通信網を設ける必要がない。
【００３９】
なお、実施形態１の変形例として、通信制御部３２は、先にデータ端末側通信制御ＩＣ３１ｂの動作状態を確認しその後インターネット網側通信制御ＩＣ３１ａの動作状態を確認してもよい。このようにして通信制御ＩＣ３１ａ，３１ｂの各動作状態の確認を行っても実施形態１と同様の効果を得ることができる。
【００４０】
（実施形態２）
実施形態２は、管理センター１と、通信端末３及びデータ端末２０からなる端末群２３を複数備える需要家側システム２とを備える通信システムであって、通信端末３が、インターネット網接続Ｉ／Ｆ３０ａと、データ端末接続Ｉ／Ｆ３０ｂと、通信制御部３２と、タイマー３３と、メモリー３４とで構成される点では実施形態１と同様であるが、実施形態１にはない以下に記載の特徴部分がある。図４に示すように、通信制御ＩＣとしてインターネット網側通信制御ＩＣ３１ａのみを備え、通信制御部３２は、実施形態１のデータ端末側通信制御ＩＣ（図１参照）の機能を付加し、データ端末接続Ｉ／Ｆ３０ｂと接続する。また、通信制御部３２は、インターネット網側通信制御ＩＣ３１ａからの信号をデータ端末２０（図２参照）のプロトコルに準拠した信号に変換し、その変換された信号をデータ端末接続Ｉ／Ｆ３０ｂに出力し、データ端末接続Ｉ／Ｆ３０ｂからの信号をインターネット網側通信制御ＩＣ３１ａが処理可能な信号に変換し、その変換された信号をインターネット網側通信制御ＩＣ３１ａに出力する。
【００４１】
実施形態２は、例えば、データ端末２０側の通信速度がインターネット網４側よりも遅く、連続通信時に負荷が増加しても通信制御部３２及びデータ端末接続Ｉ／Ｆ３０ｂの異常停止がほとんどない場合に用いる。
【００４２】
次に、実施形態２の動作について実施形態１と異なる点を説明する。通信制御部３２は、図３の（Ｓ４）及び（Ｓ５）を省略し、インターネット網側通信制御ＩＣ３１ａの動作状態を確認し、動作状態に異常を検出した場合は初期化を行う（図３のＳ１〜Ｓ３）。
【００４３】
以上、実施形態２によれば、少ない構成部品で、通信制御部３２の負荷の急激な増加を防止することができるとともに、通信機能を自己復帰することができ、現場メンテナンスの出動率を低減することができる。
【図面の簡単な説明】
【００４４】
【図１】本発明による実施形態１の通信システムにおける通信端末の構成図である。
【図２】同上の通信システムの構成図である。
【図３】同上の通信端末の動作を示すフロー図である。
【図４】本発明による実施形態２の通信システムにおける通信端末の構成図である。
【図５】従来の通信システムの構成図である。
【符号の説明】
【００４５】
１  管理センター
１０  センター装置
１１  ルーター
２  需要家側システム
２０  データ端末
２１  ＤＨＣＰサーバー
２２  ルーター
２３  端末群
３  通信端末
３０ａ  インターネット網接続Ｉ／Ｆ
３０ｂ  データ端末接続Ｉ／Ｆ
３１ａ  インターネット網側通信制御ＩＣ
３１ｂ  データ端末側通信制御ＩＣ
３２  通信制御部
３３  タイマー
３４  メモリー
４  インターネット網
５  通信端末
【図１】
2005197779.tif 000003
【図２】
2005197779.tif 000004
【図３】
2005197779.tif 000005
【図４】
2005197779.tif 000006
【図５】
2005197779.tif 000007